(57)【要約】【課題】自動釣銭機における貨幣の金種別ニアフル状態を解除する。【解決手段】本発明の自動釣銭機１２は、貨幣収納部３１に金種別に収納される貨幣の収納枚数とニアフル設定枚数とを比較し、その結果、収納枚数がニアフル設定枚数を超えた場合には、ニアフル情報をＰＯＳ端末１１に送信する。当該ニアフル情報の当該金種の出金指令を受信するするとともに受信した当該金種に対し貨幣収納部３１から当該金種の貨幣の出金設定枚数を貨幣出金部３３へ出金させる出金処理部３８を備え、ＰＯＳ端末１１は、自動釣銭機１２から当該ニアフル情報を受信するとともに、この受信した当該ニアフル情報をタッチパネル６７に表示させ、この表示された当該ニアフル情報から当該金種の出金を指令させる払ボタンと、この払ボタンにより当該金種を自動釣銭機１２に出金指令を送信する。【選択図】      図７
2009258864.tif 000002
【特許請求の範囲】
【請求項１】
貨幣の入金および出金が可能な貨幣入出金装置を通信可能に接続するとともに、商品の商取引で売買された商品の販売データを処理して当該商取引の売上金額を算出し出力する商品販売データ処理装置とからなる商品販売データ処理システムにおいて、
前記貨幣入出金装置は、貨幣収納部の金種別に収納された貨幣の収納枚数とニアフル設定枚数とを比較する比較手段と、
この比較手段の比較結果により前記貨幣収納部の金種別に収納された貨幣の前記収納枚数が前記ニアフル設定枚数を超えた場合には、当該ニアフル情報を前記商品販売データ処理装置に送信するニアフル情報送信手段と、
ＰＯＳ端末インターフェースを介してニアフル状態の当該金種出金指令を受信する出金指令受信手段と、
この出金指令受信手段により受信した当該金種に対し前記貨幣収納部から当該金種の出金設定枚数を貨幣出金部から出金させる出金手段と、を備え、
前記商品販売データ処理装置は、前記貨幣入出金装置から当該ニアフル情報を受信するニアフル情報受信手段と、
このニアフル情報受信手段により受信した当該ニアフル情報をタッチパネルに表示させる表示手段と、
前記タッチパネルに表示された当該ニアフル情報から当該金種の出金を指令させる出金指令手段と、
この出金指令手段により当該金種を前記貨幣入出金装置に出金指令を送信する送信手段と、を備えたことを特徴とする商品販売データ処理システム。
【請求項２】
貨幣の入金および出金が可能な貨幣入出金装置を通信可能に接続するとともに、商品の商取引で売買された商品の販売データを処理して当該商取引の売上金額を算出し出力する商品販売データ処理装置からなる商品販売データ処理システムにおいて、
前記貨幣入出金装置には、貨幣投入部から入金された貨幣を金種別に選別する選別手段と、
この選別手段により選別された貨幣の金種別に入金枚数を計数する入金枚数計数手段と、
前記選別手段で選別された貨幣を金種別に収納する貨幣収納部と、
この貨幣収納部に金種別に収納された貨幣の収納枚数とニアフル設定枚数とを記憶する記憶部と、
この記憶部に記憶された貨幣の前記収納枚数と前記ニアフル設定枚数とを比較する比較手段と、
この比較手段の比較結果により前記貨幣収納部に収納された貨幣の前記収納枚数が前記ニアフル設定枚数を超えた場合には、当該ニアフル情報を前記商品販売データ処理装置に送信するニアフル情報送信手段と、
ＰＯＳ端末インターフェースを介してニアフル状態の当該金種出金指令を受信する出金指令受信手段と、この出金指令受信手段により受信した当該金種に対し前記貨幣収納部から当該金種の貨幣の設定枚数を貨幣出金部から出金させる出金手段と、を備え、
前記商品販売データ処理装置は、前記貨幣入出金装置から当該ニアフル情報を受信するニアフル情報受信手段と、
このニアフル情報受信手段により受信した当該ニアフル情報をタッチパネルに表示させる表示手段と、
前記タッチパネルに表示された当該ニアフル情報から当該金種の出金を指令させる出金指令手段と、
この出金指令手段により当該金種を前記貨幣入出金装置に出金指令を送信する出金指令送信手段と、を備えたことを特徴とする商品販売データ処理システム。
【請求項３】
前記ニアフル情報に基づいて前記貨幣入出金装置から金種別に出金する出金設定枚数を可変に設定することが可能なことを特徴とする請求項１または２記載の商品販売データ処理システム。
【請求項４】
前記ニアフル設定枚数を可変的に設定することが可能なことを特徴とする請求項１または２記載の商品販売データ処理システム。
【請求項５】
前記ニアフル情報に基づいて当該金種および出金枚数を電子ジャーナルデータとして記録する電子ジャーナル記録手段をさらに備え、たことを特徴とする請求項１または２
記載の商品販売データ処理システム。
【発明の詳細な説明】
【技術分野】
【０００１】
本発明は、貨幣の入金および出金が可能な貨幣入出金装置を接続し、この貨幣入出金装置から商取引の入出金させるＰＯＳ（Point Of Sales：販売時点管理情報）端末などの商品販売データ処理システムに関する。
【背景技術】
【０００２】
従来、スーパーマーケット、コンビニエンスストア等の店舗の会計場所には、ＰＯＳ端末等が設置されている。この種のＰＯＳ端末には、釣銭を自動的に出金する自動釣銭機が接続されている。
【０００３】
ＰＯＳ端末は、顧客の買上商品の登録が終了すると、買上商品の合計金額を算出し、その合計金額等を表示部に表示する。そこで、キャッシャは、代金の支払を顧客に求める。ここで、顧客が代金を現金で支払った場合には、ＰＯＳ端末は、顧客から預かった預かり金額と合計金額とから釣銭金額が算出されて表示部に表示される。自動釣銭機が接続されている場合には、キャッシャは、自動釣銭機から出金された釣銭金額をレシートとともに顧客に渡すようになっている。また、顧客から預かった貨幣を自動釣銭機に投入する。投入された貨幣は、釣銭として循環利用するようになっている。
【０００４】
したがって、自動釣銭機内の貨幣は、釣銭金額の相当分が減少し、預かり金額の相当分が増加する。その結果、金種によって減少するものと、増加するものが発生する。
【０００５】
また、貨幣の入金および出金を行う自動釣銭機において、投入された貨幣を金種ごとに振り分けて計数し、金種別に設けられた収納部に収納する。そして、ＰＯＳ端末から釣銭金額の指令をすると、指令された釣銭金額に応じて金種および枚数を演算する演算部を備え、そして、金種別の収納部のニアフル状態を検知すると、前記演算部は、前記ニアフル状態を検知した前記収納部の金種を優先的に割り当てて最小構成の金種および枚数を演算し、釣銭金額として出金するようになっている（たとえば、特許文献１参照）。
【特許文献１】特開２００７−２１９８２８号公報
【発明の開示】
【発明が解決しようとする課題】
【０００６】
金種別に収納部に収納された当該金種のニアフル状態を検知して優先的にニアフル状態の金種および枚数により釣銭金額を出金するようになっている（特許文献１）。しかしながら、ニアフル状態を積極的に解消することが困難なので商品登録した後にＰＯＳ端末に警告が発生する可能性が生ずる。
【０００７】
本発明の目的は、貨幣収納部が入金処理の継続が不能になる状態を生じないようにすることが可能な商品販売データ処理システムを提供しようとするものである。
【課題を解決するための手段】
【０００８】
本発明に係る商品販売データ処理システムは、貨幣の入金および出金が可能な貨幣入出金装置を通信可能に接続するとともに、商品の商取引で売買された商品の販売データを処理して当該商取引の売上金額を算出し出力する商品販売データ処理装置とからなる商品販売データ処理において、前記貨幣入出金装置は、貨幣収納部に金種別に収納された貨幣の収納枚数とニアフル設定枚数とを比較する比較手段と、この比較手段の比較結果により前記貨幣収納部に収納された貨幣の前記収納枚数が前記ニアフル設定枚数を超えた場合には、当該ニアフル情報を前記商品販売データ処理装置に送信するニアフル情報送信手段と、ＰＯＳ端末インターフェースを介してニアフル状態の当該金種出金指令を受信する出金指令受信手段と、この出金指令受信手段により受信した当該金種に対し前記貨幣収納部から当該金種の出金設定枚数を貨幣出金部から出金させる出金手段と、を備え、前記商品販売データ処理装置は、前記貨幣入出金装置から当該ニアフル情報を受信するニアフル情報受信手段と、このニアフル情報受信手段により受信した当該ニアフル情報をタッチパネルに表示させる表示手段と、前記タッチパネルに表示された当該ニアフル情報から当該金種の出金を指令させる出金指令手段と、この出金指令手段により当該金種を前記貨幣入出金装置に出金指令を送信する送信手段と、を備えたものである。
【発明の効果】
【０００９】
本発明によれば、貨幣収納部に収納された貨幣の金種別のニアフル状態を解除することが可能になる。
【発明を実施するための最良の形態】
【００１０】
以下、本発明の一実施の形態を図面に基づいて説明する。
【００１１】
なお、本実施の形態は、コンビニエンスストアやスーパーマーケット等で導入されている自動釣銭機を備えたＰＯＳ端末とからなる商品販売データ処理システムを本発明に適用した場合である。
【００１２】
図１は、本実施の形態に係る商品販売データ処理システムを示す模式図である。
【００１３】
図１に示すように、商品販売データ処理システムは、商品販売データ処理装置であるＰＯＳ端末１１に、貨幣入出金装置である自動釣銭機１２が接続されている。
【００１４】
図２は、前記自動釣銭機１２の機能ブロック図である。この自動釣銭機１２は、貨幣として紙幣および硬貨の両方を扱うものである。
【００１５】
図２に示すように、４種類の紙幣と６種類の硬貨との貨幣を金種別に選別して収納する貨幣収納部３１と、顧客の預かり金や釣銭準備金として投入する紙幣および硬貨等の貨幣を投入する貨幣投入部３２と、釣銭等が出金される貨幣出金部３３が形成されている。また、前記貨幣投入部３２に投入された貨幣を金種別に選別する選別手段としての選別処理部３４と、この選別処理部３４で選別された貨幣を金種別にカウントする入金枚数計数手段である入金枚数カウンタ３５と、この入金枚数カウンタ３５によりカウントされた金種別の収納枚数を記憶する記憶部３６と、前記ＰＯＳ端末１１と通信可能に接続されるＰＯＳ端末インターフェース３７と、このＰＯＳ端末インターフェース３７を介して前記ＰＯＳ端末１１からの出金指令により前記貨幣収納部３１から貨幣の出金を行う出金手段である出金処理部３８と、この出金処理部３８により出金された貨幣を金種別にカウントする出金枚数計数手段である出金枚数カウンタ３９と、自動釣銭機１２とデータ通信可能とする自動釣銭機インターフェース５７と、これらの各部を制御する制御部４０と、を備えられている。
【００１６】
また、前記記憶部３６には、図３に示すように、ニアフル枚数設定テーブル３６ａが設けられている。このニアフル枚数設定テーブル３６ａには、１円、５円、１０円、５０円、１００円、５００円の６種類からなる硬貨と１，０００円、２，０００円、５，０００円、１０，０００円の４種類からなる紙幣の金種別の金額エリア、金種別の収納枚数エリア、金種別のニアフル設定枚数エリアからなる。ここでは、金種別のニアフル設定枚数は、ＰＯＳ端末１１により可変に設定することが可能である。
【００１７】
図４は、本実施の形態におけるＰＯＳ端末１１のハードウェアの要部構成を示すブロック図である。
【００１８】
図４に示すように、前記ＰＯＳ端末１１は、制御部本体として各部を制御するＣＰＵ(Central Processing Unit)５１、このＣＰＵ５１が実行する制御プログラムなどの固定的データを予め格納されたＲＯＭ(Read Only Memory)５２、商品販売データの処理に必要な可変的データを格納するための各種メモリエリアが形成されるＲＡＭ(Random Access Memory)５３、現在の日付および時刻を計時する時計部５４、通信インターフェース５５、ＨＤＤ（Hard Disk Drive）コントローラ５６、前記自動釣銭機１２と通信可能に接続する接続手段としての自動釣銭機インターフェース５７、キーボードコントローラ５８、スキャナコントローラ５９、タッチパネルコントローラ６０、客用表示コントローラ６１、プリンタコントローラ６２をアドレスバス、データバス等のバスライン６３で接続している。
【００１９】
そして、ＨＤＤコントローラ５６にＨＤＤ６４を接続し、自動釣銭機インターフェース５７に前記自動釣銭機１２を接続し、キーボードコントローラ５８にキーボード６５を接続し、スキャナコントローラ５９にバーコードスキャナ６６を接続し、タッチパネルコントローラ６０に店用としてタッチパネル６７を接続し、客用表示コントローラ６１に客用表示器６８を接続し、プリンタコントローラ６２にプリンタ６９を接続している。
【００２０】
前記ＨＤＤ６４には、電子ジャーナルデータファイル９０の記憶領域と、ニアフル状態解除ファイル９１の記憶領域を形成している。
【００２１】
前記電子ジャーナルデータファイル９０には、商取引ごとに生成される電子ジャーナルデータ、すなわち、その取引に対して発行されるレシートの印字イメージに対応したデータがテキスト形式で記述されるデータファイルである。さらに、自動釣銭機１２で発生した貨幣収納部３１におけるニアフル状態を解除するために、貨幣収納部３１から出金された貨幣の金種および出金枚数を記憶される１つの電子ジャーナルデータファイル９０が作成される。
【００２２】
前記ニアフル状態解除ファイル９１には、貨幣収納部３１に収納された貨幣の金種別のニアフル状態における出金枚数を設定するために、図５に示すように、ニアフル出金設定枚数テーブル９１ａを有する。図５に示すように、ニアフル出金設定枚数テーブル９１ａには、金種別の金額エリア、出金設定枚数エリアからなる。ここでは、キーボード６５等の入力部により金種別に出金枚数を可変に設定することが可能である。
【００２３】
前記キーボード６５は、置数キー、乗算キー、ＰＬＵキー、小計キー、預／現計キー、クリアキー等の各種キーが配設されている。小計キーは、１取引の商品の合計金額を指示する機能を有する。預／現計キーは、１取引として現金で支払うことを宣言する締めキーとして機能する。
【００２４】
前記バーコードスキャナ６６は、各商品に付けられたバーコードを光学的に読み取るもので、商品登録手段として機能する。
【００２５】
前記タッチパネル６７には、図６に示すようにニアフル情報１００が表示される。図６示すように、貨幣収納部３１に金種別に収納された貨幣のニアフル状態の金種たとえば、「１０円が容量オーバーです」のメッセージと「払」ボタンが表示されるようになっている。ここでは、「払」ボタンは、ニアフル状態の金種の出金指令手段として機能するようになっている。
【００２６】
前記プリンタ６９は、レシート用紙に１顧客の買上商品の明細データを印字してレシートを発行することが可能なレシートプリンタである。
【００２７】
以上のような構成において、ＰＯＳ端末１１は、顧客の買上商品の登録を終了させて売上金額をタッチパネル６７および客用表示部６８に表示させる。キャッシャは、顧客から買上商品の代金の貨幣を受取るとともに、自動釣銭機１２の貨幣投入部３１へ投入する。自動釣銭機１２は、投入された貨幣を勘定し、この勘定された投入金額データをＰＯＳ端末１１に与える機能を有する。ＰＯＳ端末１１は、自動釣銭機１２から取り込んだ投入金額データを預かり金額とし、この預かり金額と当該商取引の売上金額である合計金額から釣銭金額を算出して、釣銭金額が０より大きいときにはその釣銭金額データを自動釣銭機１２に与えるように制御する。なお、本実施の形態においては、自動釣銭機１２を入金確定タイプのもので説明するが、これに限定することなく釣銭先行タイプにおいても実現することが可能なことは勿論である。
【００２８】
ＰＯＳ端末１１のＣＰＵ５１は、図７のフローチャートに従い商品登録業務を処理するようにプログラム設定されている。
【００２９】
先ず、ＣＰＵ５１は、ＳＴ（ステップ）１１として１顧客との商取引で売買される商品が登録されるのを待機する。ここで、バーコードスキャナ６６によるスキャニング入力あるいはキーボード６５のキー操作入力により顧客が買上げる商品の商品コード、販売点数等の商品データが入力されると、商品登録有と判断し（ＳＴ１１−ＹＥＳ）、ＳＴ１２として商品販売データ登録処理を行う。すなわち、入力された商品コードに対応して商品マスタファイルにプリセットされている単価、商品名等の商品データを読出し、単価に販売点数を乗算して販売金額を算出する。そして、この販売金額を商品名等とともに店用のタッチパネル６７および客用表示部６８に表示させる。また、商品コード、販売点数、販売金額等の商品販売データを図示しない取引処理メモリに記録する。
【００３０】
次に、ＣＰＵ５１は、ＳＴ１３として１商取引の登録締めを宣言する締めキーが操作入力されたか否かを判断する。ここで、締めキー操作入力されておらず、次の商品登録が行われた場合には、ＣＰＵ５１は、ＳＴ１２の商品販売データ登録処理を再度実行する。
【００３１】
締めキー操作入力された場合には（ＳＴ１３−ＹＥＳ）、ＣＰＵは、ＳＴ１４として登録締めデータ処理を実行する。すなわち、取引処理メモリに記憶されている商品販売データに基づき、１商取引の売上処理した各商品の小計金額、税額、税込みの合計金額（売上金額）等を算出する。そして、タッチパネル６７および客用表示部６８に表示させる。
【００３２】
ＳＴ１５として自動釣銭機インターフェース５７を介して自動釣銭機１２から投入金額データを取得する。
【００３３】
ＳＴ１６として投入金額データを預かり金額として取引処理メモリに記憶するとともに、タッチパネル６７および客用表示部６８に表示させる。
【００３４】
ＣＰＵ５１は、ＳＴ１７として預かり金額から合計金額（売上金額）を減算して釣銭金額を算出する。そして、釣銭金額があるか否かを判断し、釣銭金額がある場合には（ＳＴ１７−ＹＥＳ）、その釣銭金額をタッチパネル６７および客用表示部６８に表示させるとともに、ＳＴ１８として釣銭金額としての釣銭金額データ払出指令を自動釣銭機１２に出力する。釣銭金額がない場合には（ＳＴ１７−ＮＯ）、ＳＴ１９としてレシートを印字発行して１商取引を終了させる。
【００３５】
ＳＴ２０としてニアフル情報があるか否かを待機する。ニアフル情報を取得すると（ＳＴ２０−ＹＥＳ）、ＳＴ２１として図６に示すタッチパネル６７にニアフル情報１００の画面を表示させる。
【００３６】
ＳＴ２２として図６に示すようにニアフル情報１００に表示されている「払」ボタンをタッチ操作されたか否かを判断する。そして、「払」ボタンがタッチ操作された場合（ＳＴ２２−ＹＥＳ）、ＳＴ２３として当該ニアフル金種、たとえば、１０円硬貨の出金指令を行う（出金指令手段）。すると当該金種のニアフル情報に設定されている出金枚数を自動釣銭機１２に出金指令を通知する。
【００３７】
ＳＴ２４として当該ニアフル金種の出金枚数を自動釣銭機１２から取得する。
【００３８】
ＳＴ２５として当該金種の出金枚数情報の電子ジャーナルデータを生成するとともに、電子ジャーナルファイル９０に記録する。
【００３９】
また、例えば、複数の金種についてニアフル情報がある場合には、先ず、図６に示すように１０円硬貨の処理をＳＴ２１〜ＳＴ２５について行った後に、たとえば、１００円硬貨も容量オーバーが発生した場合には、図示しないが、さらに「１００円が容量オーバーです」とタッチパネル６７に表示されるので、ニアフル金種の１００円硬貨についてもＳＴ２１〜ＳＴ２５の処理を行うとよい。
【００４０】
このようにして特定金種のニアフル状態の解消をＰＯＳ端末１１で処理することによりニアフル状態を解消した金種の貨幣が電子ジャーナルデータに記憶されることにより不正を防止することが可能になる。
【００４１】
次に、図８は、自動釣銭機１２の動作を処理するフローチャートを示す。
【００４２】
制御部は、ＳＴ４１として貨幣投入部３２に貨幣が投入されるのを待機する。そして、貨幣が投入され、その貨幣を検出すると（ＳＴ４１−ＹＥＳ）、ＳＴ４２として貨幣を金種別に選別処理部３４により選別する。
【００４３】
次に、ＳＴ４３として選別された貨幣を金種別に入金枚数計数手段である入金枚数カウンタ３５により一つずつカウントアップして金種別に収納枚数を記憶部３６に記憶する。
【００４４】
ＳＴ４４として選別された投入金額データを算出する。すなわち、預かり金額を勘定する。そして、投入金額を貨幣収納部３１に金種別に収納する。
【００４５】
ＳＴ４５として投入金額データがＰＯＳ端末インターフェース３７を介してＰＯＳ端末１１に送信する。
【００４６】
ＳＴ４６としてＰＯＳ端末１１から釣銭金額データを取得したか否かを判断する。そして、釣銭金額データを取得した場合には（ＳＴ４６−ＹＥＳ）、制御部４０は、ＳＴ４７として釣銭金額データに基づいて出金された金種別の貨幣を出金枚数計数手段である出金枚数カウンタ３９により出金枚数をカウントして金種別に出金枚数を記憶部３６に記憶する。
【００４７】
ＳＴ４８として釣銭金額を出金処理部３８により貨幣出金部３３に出金される。
【００４８】
ＳＴ４９として貨幣収納部３１に収納された貨幣の金種別の収納枚数がニアフル状態にあるかをニアフル設定枚数と比較する。そして、ニアフル状態にある貨幣の金種があると（ＳＴ４９−ＹＥＳ）、ＳＴ５０として当該金種のニアフル金種情報がＰＯＳ端末インターフェース３７を介してＰＯＳ端末１１に送信する。
【００４９】
ＳＴ５１としてＰＯＳ端末１１からＰＯＳ端末インターフェース３７を介して当該ニアフル状態解除指令を取得すると、制御部４０は、ＳＴ５２として取得した当該ニアフル状態解除指令に基づいて当該金種の予め設定されている出金枚数が出金処理部３８により貨幣出金部３３に出金される。そして、出金された貨幣の金種を図示しない、準備金収納部に収納する。この準備金収納部に収納された貨幣は、ニアエンプティ状態になった場合に入金することが可能となる。
【００５０】
ＳＴ５３として当該ニアフル状態解除指令に基づいた金種および出金枚数をＰＯＳ端末１１に送信する。これにより貨幣収納部３１の当該金種のニアフル状態を解除することが可能になる。
【００５１】
次に、本実施の形態の具体例を説明する。例えば、現在１０円硬貨に関し、ニアフル枚数設定テーブル３６ａの収納枚数は１００枚でニアフル設定枚数を９０枚とする。なお、図５に示すようにニアフル枚数設定テーブル９１ａ内の１０円硬貨に対する出金枚数は４０枚である。現在、１０円硬貨の貨幣収納部３１には８９枚の１０円硬貨が収納されているものとする。
【００５２】
このような場合、顧客が商品購入した金額が１８０円で、締めキー操作後の１８０円の入金は、１００円硬貨１枚、５０円硬貨１枚、１０円硬貨３枚が貨幣投入部３１から投入されるとする。この場合、ニアフル枚数設定テーブル３６ａ内の１０円硬貨に対する出金枚数が９０枚であることに対し、既に収納枚数が８９枚であることから８９枚＋３枚で９２枚となりニアフル設定枚数の９０枚を超える。すると、前記タッチパネル６７に図６に示すような「１０円が容量オーバーです」のメッセージと「払」ボタンが表示される。
【００５３】
そして、キャッシャの操作により「払」ボタンがタッチ操作されると、１０円硬貨が収納されている硬貨収納部の９２枚の硬貨をニアフル枚数設定テーブル９１ａ内に記憶された出金設定枚数の４０枚が貨幣出金部３３より出金される。従って、貨幣収納部３１には５２枚の１０円硬貨が残ることになる。
【００５４】
なお、本実施の形態ではニアフル枚数設定テーブル３６ａのニアフル設定枚数を超えた場合に、ニアフル枚数設定テーブル９１ａ内に記憶された出金設定枚数を出力しているが、釣銭として蓄積しておくための最適枚数例えば、収納枚数の半分程度を確保し、残りを出力するような構成でもよい、つまり具体例で当てはめると、１０円硬貨の硬貨収納部に収納する収納枚数１００枚に対する最適枚数を５０枚と設定されている場合は、９２枚から５０枚を引いた４２枚が出力される。
【００５５】
本発明によれば、ＰＯＳ端末１１の商品登録ごとに貨幣収納部の金種別のニアフル状態を解除することが可能となる。
【００５６】
なお、本実施の形態では紙幣および硬貨の両方を扱う貨幣入出金装置の場合について説明したが、本発明の貨幣入出金装置は紙幣を扱う紙幣入出金装置の場合でもよく、あるいは硬貨を取り扱う硬貨入出金装置であってもよい。
【００５７】
以上説明したように、本発明は前記実施の形態に限定されるものではなく、実施の段階ではその趣旨を逸脱しない範囲で種々に変形することが可能であるのは勿論である。
【図面の簡単な説明】
【００５８】
【図１】本発明の一実施の形態に係る商品販売データ処理システムの要部構成を示す模式図。
【図２】本実施の形態に係る自動釣銭機の要部構成を示す機能ブロック図。
【図３】本実施の形態に係るニアフル枚数設定テーブルの一例を示す模式図。
【図４】本実施の形態に係るＰＯＳ端末の要部構成を示すブロック図。
【図５】本実施の形態に係るニアフル枚数設定テーブルの一例を示す模式図。
【図６】本実施の形態に係るニアフル情報の一例を示す模式図。
【図７】本実施の形態に係るＰＯＳ端末のＣＰＵが実行する動作を示すフローチャート。
【図８】本実施の形態に係る自動釣銭機の制御部が実行する動作を示すフローチャート。
【符号の説明】
【００５９】
１１…ＰＯＳ端末（商品販売データ処理装置）、１２…自動釣銭機（貨幣入出金装置）、３１…貨幣収納部、３２…貨幣投入部、３３…貨幣出金部、３４…選別処理部、３５…入金枚数カウンタ、３６…記憶部、３６ａ…ニアフル枚数設定テーブル、３８…出金処理部、３９…出金枚数カウンタ、４０…制御部、５１…ＣＰＵ、５２…ＲＯＭ、５３…ＲＡＭ、９１ａ…ニアフル出金設定枚数テーブル。
【図１】
2009258864.tif 000003
【図２】
2009258864.tif 000004
【図３】
2009258864.tif 000005
【図４】
2009258864.tif 000006
【図５】
2009258864.tif 000007
【図６】
2009258864.tif 000008
【図７】
2009258864.tif 000009
【図８】
2009258864.tif 000010